(57)【要約】      （修正有）【課題】様々な形態の包装体に包まれた薬品を取り出しやすく且つ視認しやすい構成で保持するカード型包装容器を提供する。【解決手段】連続した第一シート１１及び第二シート１２によって構成されるブランク板を折り畳んで構成され、第一シート１１及び第二シート１２で挟持することで薬品の包装体を保持するカード型包装容器１０であって、透明パッケージ１５の一部が露出するように中空の窓部Ｗ１が形成される第一シート１１と、透明パッケージ１５が取り出せるように窓部Ｗ１に対向する部分の周囲に切断線Ｄ１が形成される第二シート１２と、を備える。さらに、第一シート１１及び第二シート１２の内面には、相互に接触した場合のみに接着し得る接着剤が塗布され、第二シート１２の切断線Ｄ１を切断することで、互いに接着された第一シート１１と第二シート１２との間に挟持された透明パッケージ１５を取り出し可能とする。【選択図】図１
0003182107.tif 000002
【実用新案登録請求の範囲】
【請求項１】
連続した複数のカード状のシートによって構成されるブランク板を折り畳んで構成され、複数の前記カード状のシートのうち２枚で挟持することで薬品の包装体を保持するカード型包装容器であって、
前記包装体の一部が露出するように中空の窓部が形成される第一シートと、
前記包装体が取り出せるように前記窓部に対向する部分の周囲に切断線が形成される第二シートと、を有し、
前記第一シート及び前記第二シートの内面には、相互に接触した場合のみに接着し得る接着剤が塗布され、
前記第二シートの前記切断線を切断することで、互いに接着された前記第一シートと前記第二シートとの間に挟持された前記包装体が取り出し可能となることを特徴とするカード型包装容器。
【請求項２】
複数のカード状のシートを重ねて構成され、複数の前記カード状のシートのうち２枚で挟持することで薬品の包装体を保持するカード型包装容器であって、
前記包装体の一部が露出するように中空の窓部が形成される第一シートと、
前記包装体が取り出せるように前記窓部に対向する部分の周囲に切断線が形成される第二シートと、を有し、
前記第一シート及び前記第二シートの内面には、相互に接触した場合のみに接着し得る接着剤が塗布され、
前記第二シートの前記切断線を切断することで、互いに接着された前記第一シートと前記第二シートとの間に挟持された前記包装体が取り出し可能となることを特徴とするカード型包装容器。
【請求項３】
前記窓部は円形又は楕円形であり、
前記包装体が挟持されている際、前記切断線は前記窓部よりも外側の位置に形成されることを特徴とする請求項１又は請求項２に記載のカード型包装容器。
【請求項４】
前記窓部は四角形であり、
前記包装体が挟持されている際、前記切断線は前記窓部よりも外側の位置に形成されることを特徴とする請求項１又は請求項２に記載のカード型包装容器。
【請求項５】
連続した複数のカード状のシートによって構成されるブランク板を折り畳んで構成され、複数の前記カード状のシートのうち２枚で挟持することで薬品の包装体を保持するカード型包装容器であって、
前記包装体の表面部を覆いつつ表面側に突出するような切り込みが形成された突出部が形成される第一シートと、
前記包装体が取り出せるように前記突出部に対向する部分の周囲に切断線が形成される第二シートと、を有し、
前記第二シートの前記切断線を切断することで、互いに接着された前記第一シートと前記第二シートとの間に挟持された前記包装体が取り出し可能となることを特徴とするカード型包装容器。
【考案の詳細な説明】
【技術分野】
【０００１】
本考案は、包装体に包装される薬品等を挟み込んで収納するカード型包装容器に関する。
【背景技術】
【０００２】
薬品をＰＴＰ（Press Through Package）に包み、且つＰＴＰを包装する包装容器として、２つのカード状のシート材の間にＰＴＰを挟み込むものがある（例えば、特許文献１、特許文献２参照）。
【０００３】
厚紙状の第１シートと第２シートとの間にＰＴＰに包まれた錠剤等の薬品を挟みこみ、前記第１シート及び前記第２シートの一部を互いに貼り付けることで、前記薬品を固定している。
【先行技術文献】
【特許文献】
【０００４】
【特許文献１】特開２００６−２４８５４５
【特許文献２】特開２００９−２０８８１２
【考案の概要】
【考案が解決しようとする課題】
【０００５】
しかしながら、薬品はＰＴＰに包み込まれたもののみならず、様々な形態のものがある。このため、様々な形態のパッケージに包まれた薬品をより適するように包装することが課題となっていた。
【０００６】
本考案の目的は、様々な形態の包装体に包まれた薬品を取り出しやすく且つ視認しやすい構成で保持することである。
【課題を解決するための手段】
【０００７】
上記目的を達成するための本考案の第１の構成は、連続した複数のカード状のシートによって構成されるブランク板を折り畳んで構成され、複数の前記カード状のシートのうち２枚で挟持することで薬品の包装体を保持するカード型包装容器であって、前記包装体の一部が露出するように中空の窓部が形成される第一シートと、前記包装体が取り出せるように前記窓部に対向する部分の周囲に切断線が形成される第二シートと、を有し、前記第一シート及び前記第二シートの内面には、相互に接触した場合のみに接着し得る接着剤が塗布され、前記第二シートの前記切断線を切断することで、互いに接着された前記第一シートと前記第二シートとの間に挟持された前記包装体が取り出し可能となることを特徴とするカード型包装容器である。
【０００８】
第２の構成は、複数のカード状のシートを重ねて構成され、複数の前記カード状のシートのうち２枚で挟持することで薬品の包装体を保持するカード型包装容器であって、前記包装体の一部が露出するように中空の窓部が形成される第一シートと、前記包装体が取り出せるように前記窓部に対向する部分の周囲に切断線が形成される第二シートと、を有し、前記第一シート及び前記第二シートの内面には、相互に接触した場合のみに接着し得る接着剤が塗布され、前記第二シートの前記切断線を切断することで、互いに接着された前記第一シートと前記第二シートとの間に挟持された前記包装体が取り出し可能となることを特徴とするカード型包装容器である。
【０００９】
第３の構成は、前記窓部は円形又は楕円形であり、前記包装体が挟持されている際、前記切断線は前記窓部よりも外側の位置に形成されることを特徴とする第１又は第２の構成に記載のカード型包装容器である。
【００１０】
第４の構成は、前記窓部は四角形であり、前記包装体が挟持されている際、前記切断線は前記窓部よりも外側の位置に形成されることを特徴とする第１又は第２の構成に記載のカード型包装容器である。
【００１１】
第５の構成は、連続した複数のカード状のシートによって構成されるブランク板を折り畳んで構成され、複数の前記カード状のシートのうち２枚で挟持することで薬品の包装体を保持するカード型包装容器であって、前記包装体の表面部を覆いつつ表面側に突出するような切り込みが形成された突出部が形成される第一シートと、前記包装体が取り出せるように前記突出部に対向する部分の周囲に切断線が形成される第二シートと、を有し、前記第一シート及び前記第二シートの内面には、相互に接触した場合のみに接着し得る接着剤が塗布され、前記第二シートの前記切断線を切断することで、互いに接着された前記第一シートと前記第二シートとの間に挟持された前記包装体が取り出し可能となることを特徴とするカード型包装容器である。
【考案の効果】
【００１２】
上述の構成によって、様々な形態の包装体に包まれた薬品を取り出しやすく且つ視認しやすい構成で保持することができる。
【図面の簡単な説明】
【００１３】
【図１】透明パッケージを保持する第１実施形態のカード型包装容器の展開図。
【図２】透明パッケージを保持する第１実施形態のカード型包装容器の使用説明図。
【図３】袋状パッケージを保持する第２実施形態のカード型包装容器の展開図。
【図４】縦長パッケージを保持する第３実施形態のカード型包装容器の展開図。
【図５】縦長液体パッケージを保持する第４実施形態のカード型包装容器の展開図。
【図６】突出部が形成される第５実施形態のカード型包装容器の斜視図。
【図７】他の実施形態のカード型包装容器の展開図。
【考案を実施するための形態】
【００１４】
図を用いて本考案の詳細な説明をする。
【００１５】
〔第１実施形態〕
図１は透明パッケージを保持する第１実施形態のカード型包装容器の展開図である。（ａ）はブランク板の状態を示し、（ｂ）は製作過程の状態を示す。
【００１６】
図１に示すように、第１実施形態のカード型包装容器１０は、連続した複数のカード状のシートとして、２枚のシート（第一シート１１、第二シート１２）から構成される。第一シート１１には、円形の中空の窓部Ｗ１が形成される。
【００１７】
第二シート１２には、透明パッケージ１５が取り出せるように窓部Ｗ１に対向する部分の周囲に切断線Ｄ１が形成される。切断線Ｄ１に囲まれた部分の上端にはツマミ孔Ｃ１が形成される。ツマミ孔Ｃ１は、使用者がツマミ孔Ｃ１から指の先端を入れることが可能な大きさの孔である。ツマミ孔Ｃ１が形成されることで、切断線Ｄ１で囲まれた開封部１３の上端をつまみやすい構造となっている。
【００１８】
上述の構成により、カード型包装容器１０を構成する際には、図１（ｂ）に示すように、第一シート１１及び第二シート１２の間の折線Ｆ１にて折り畳む。この際、第一シート１１と第二シート１２との間でフィルム状の透明パッケージ１５を挟持する。
【００１９】
この後、不図示の接着剤で、第一シート１１の内面と第二シート１２の内面を互いに接着する。ここで、接着剤を塗布する部分は第一シート１１及び第二シート１２の全面又は一部である。すなわち、全面であっても全体の中の一部であってもいい。接着剤としては、相互に接触した場合にのみ接着しうる接着剤を使用する。このため、第一シート１１と第二シート１２とは、開封部１３の内面以外の互いの内面の全部において接着される。一方、包装体（本実施形態では透明パッケージ１５）に触れる部分の第一シート１１及び第二シート１２の内面には、直接接着剤が触れ合うことがないため、接着力が働かない。
【００２０】
図２は透明パッケージを保持する第１実施形態のカード型包装容器の使用説明図である。（ａ）は使用前の状態を示し、（ｂ）は使用時の状態を示す。
【００２１】
図２（ａ）に示すように、第一シート１１と第二シート１２が透明パッケージ１５を挟持するとき、透明パッケージ１５の一部が窓部Ｗ１から表面側に露出する。ここで、透明パッケージ１５は窓部Ｗ１よりは大きく構成されているため、窓部Ｗ１を通って脱落することはない。
【００２２】
また、透明パッケージ１５の一部、特に錠剤等が内包されることによって厚みのある箇所が、窓部Ｗ１から突出する。このため、透明パッケージ１５に内包される錠剤等が大きくとも、カード型包装容器１０の全体の厚みを抑制することができる。
【００２３】
図２（ｂ）に示すように、透明パッケージ１５をカード型包装容器１０から取り出す際には、使用者がツマミ孔Ｃ１から指を入れるなどして、切断線Ｄ１に沿って開封部１３を切断させつつ、開封部１３を第二シート１２から離間させる。
【００２４】
このとき、前述のように、第二シート１２に形成された切断線Ｄ１は、窓部Ｗ１に対向する部分よりも外側の位置に形成される。このように透明パッケージ１５よりも開封部１３の幅が大きいため、開封部１３を第二シート１２から離間させると、透明パッケージ１５が容易に取り出せる。
【００２５】
また、前述のように、第一シート１１と第二シート１２の内面には、相互に接触した場合のみに接着し得る接着剤を用いる。これにより、カード型包装容器１０を作成する際に、ヒートシーラー等の特別な設備は一切不要であって、作業者が手作業で簡単に作成することができる。したがって、多品種少量の商品の場合にも有効に対応することができる。
【００２６】
また、透明パッケージ１５のある部分には接着力が働かないため、開封部１３の剥離動作とともに透明パッケージ１５が開封部１３の内面にくっつきつつ取り出されるということがない。よって、透明パッケージ１５は、開封部１３を第二シート１２から離間させた後、透明パッケージ１５をカード型包装容器１０から独立して容易に取り出すことができる。
【００２７】
なお、本実施形態はツマミ孔Ｃ１を形成したが、切断線Ｄ１の上部をツマミの形として、使用者がつまむことが可能な構成としてもよい。これは以下の実施形態においても同様である。
【００２８】
また、本実施形態の窓部Ｗ１は円形であったが、これに限るものではない。窓部の形状は、挟持する対象の包装体に合わせて形状を変更することができる。例えば、窓部Ｗ１を楕円形としてもよい。
【００２９】
〔第２実施形態〕
前述と同様又は類似の構成については同じ部材名を付けて説明を省略する。図３は袋状パッケージを保持する第２実施形態のカード型包装容器の展開図である。（ａ）はブランク板の状態を示し、（ｂ）は製作過程の状態を示す。
【００３０】
図３に示すように、第２実施形態のカード型包装容器２０は、連続した複数のカード状のシートとして、２枚のシート（第一シート２１、第二シート２２）から構成される。第一シート２１には、四角形、本実施形態では長方形の中空の窓部Ｗ２が形成される。
【００３１】
第二シート２２には、顆粒等の薬を内包する袋状パッケージ２５（包装体）が取り出せるように窓部Ｗ２に対向する部分よりも外側の位置に切断線Ｄ２が形成される。切断線Ｄ２に囲まれた部分の上端にはツマミ孔Ｃ２が形成される。ツマミ孔Ｃ２が形成されることで、切断線Ｄ２で囲まれた開封部２３の上端をつまみやすい構造となっている。
【００３２】
上述の構成により、カード型包装容器１０を構成する際には、図３（ｂ）に示すように、第一シート２１及び第二シート２２の間の折線Ｆ２にて折り畳む。この際、第一シート２１と第二シート２２との間で袋状パッケージ２５を挟持する。
【００３３】
また、不図示の接着剤で、第一シート２１の内面と第二シート２２の内面を互いに接着する。接着剤としては、前述のように、第一シート２１と第二シート２２の内面には、相互に接触した場合のみに接着し得る接着剤を用いる。
【００３４】
〔第３実施形態〕
前述と同様又は類似の構成については同じ部材名を付けて説明を省略する。図４は縦長パッケージを保持する第３実施形態のカード型包装容器の展開図である。（ａ）はブランク板の状態を示し、（ｂ）は製作過程の状態を示す。
【００３５】
図４に示すように、第３実施形態のカード型包装容器３０は、連続した複数のカード状のシートとして、２枚のシート（第一シート３１、第二シート３２）から構成される。第一シート３１には、四角形、本実施形態では長方形の中空の窓部Ｗ３が形成される。
【００３６】
第二シート３２には、錠剤等の薬を内包する縦長で透明な袋に入った縦長パッケージ３５（包装体）が取り出せるように窓部Ｗ３に対向する部分よりも外側の位置に切断線Ｄ３が形成される。切断線Ｄ３に囲まれた部分の上端にはツマミ孔Ｃ３が形成される。ツマミ孔Ｃ３が形成されることで、切断線Ｄ３で囲まれた開封部３３の上端をつまみやすい構造となっている。
【００３７】
上述の構成により、カード型包装容器３０を構成する際には、図４（ｂ）に示すように、第一シート３１及び第二シート３２の間の折線Ｆ３にて折り畳む。この際、第一シート３１と第二シート３２との間でフィルム状の縦長パッケージ３５を挟持する。
【００３８】
また、不図示の接着剤で、第一シート３１の内面と第二シート３２の内面を互いに接着する。接着剤としては、前述のように、第一シート３１と第二シート３２の内面には、相互に接触した場合のみに接着し得る接着剤を用いる。
【００３９】
〔第４実施形態〕
前述と同様又は類似の構成については同じ部材名を付けて説明を省略する。図５は縦長液体パッケージを保持する第４実施形態のカード型包装容器の展開図である。（ａ）はブランク板の状態を示し、（ｂ）は製作過程の状態を示す。
【００４０】
図５に示すように、第４実施形態のカード型包装容器４０は、連続した複数のカード状のシートとして、２枚のシート（第一シート４１、第二シート４２）から構成される。第一シート４１には、四角形、本実施形態では第３実施形態よりも縦長である長方形の中空の窓部Ｗ４が形成される。
【００４１】
第二シート４２には、液体又は顆粒の薬を内包するスティック状の長尺パッケージ４５（包装体）が取り出せるように窓部Ｗ４に対向する部分よりも外側の位置に切断線Ｄ４が形成される。切断線Ｄ４に囲まれた部分の上端にはツマミ孔Ｃ４が形成される。ツマミ孔Ｃ４が形成されることで、切断線Ｄ４で囲まれた開封部４３の上端をつまみやすい構造となっている。
【００４２】
上述の構成により、カード型包装容器４０を構成する際には、図５（ｂ）に示すように、第一シート４１及び第二シート４２の間の折線Ｆ４にて折り畳む。この際、第一シート４１と第二シート４２との間でスティック状の長尺パッケージ４５を挟持する。
【００４３】
また、不図示の接着剤で、第一シート４１の内面と第二シート４２の内面を互いに接着する。接着剤としては、前述のように、第一シート４１と第二シート４２の内面には、相互に接触した場合のみに接着し得る接着剤を用いる。
【００４４】
〔第５実施形態〕
前述と同様又は類似の構成については同じ部材名を付けて説明を省略する。図６は突出部が形成される第５実施形態のカード型包装容器の斜視図である。（ａ）はブランク板の状態を示し、（ｂ）は製作過程の状態を示す。
【００４５】
図６に示すように、第５実施形態のカード型包装容器５０は、連続した複数のカード状のシートとして、２枚のシート（第一シート５１、第二シート５２）から構成される。第一シート５１には、包装体５５の表面部を覆いつつ表面側に突出する突出部Ｔが形成される。突出部Ｔには、表面側に突出するように切り込み（切込線５７）が形成される。
【００４６】
第二シート５２には、包装体５５が取り出せるように突出部Ｔに対向する部分よりも外側の位置に切断線Ｄ５が形成される。切断線Ｄ５に囲まれた部分の上端にはツマミ孔Ｃ５が形成される。ツマミ孔Ｃ５が形成されることで、切断線Ｄ５で囲まれた開封部５３の上端をつまみやすい構造となっている。
【００４７】
上述の構成により、カード型包装容器５０を構成する際には、図６（ｂ）に示すように、第一シート５１及び第二シート５２の間の折線Ｆ５にて折り畳む。この際、第一シート５１と第二シート５２との間でスティック状の包装体５５を挟持する。
【００４８】
また、不図示の接着剤で、第一シート５１の内面と第二シート５２の内面を互いに接着する。接着剤としては、前述のように、第一シート５１と第二シート５２の内面には、相互に接触した場合のみに接着し得る接着剤を用いる。
【００４９】
このように、第一シート５１表面に突出部Ｔが形成されたカード型包装容器５０内に包装体５５を保持すると、包装体５５の厚みに応じて、切込線５７に沿って突出部Ｔが突出する。これにより、包装体５５に内包される錠剤等が大きくとも、突出部Ｔのみを積極的に突出させることで、カード型包装容器５０の全体の厚みを抑制することができる。
【００５０】
なお、本実施形態の突出部Ｔの構造は、前述の実施形態の窓部に代えて、適用することができる。
【００５１】
〔他の実施形態〕
図７は他の実施形態のカード型包装容器の展開図である。前述と同様又は類似の構成については同じ部材名を付けて説明を省略する。
【００５２】
前述の実施形態においては、すべて１枚のブランク板を折り畳んで構成されていたが、これに限るものではない。すなわち、図７に示すように、複数の別体のカード状のシート（第一シート１１と第二シート１２）を重ねて構成するとしてもよい。
【産業上の利用可能性】
【００５３】
本考案は、カード状の包装体に包装される薬品等を挟み込んで収納するカード型包装容器に利用することができる。
【符号の説明】
【００５４】
Ｃ１…ツマミ孔、Ｃ２…ツマミ孔、Ｃ３…ツマミ孔、Ｃ４…ツマミ孔、Ｃ５…ツマミ孔、Ｄ１…切断線、Ｄ２…切断線、Ｄ３…切断線、Ｄ４…切断線、Ｄ５…切断線、Ｆ１…折線、Ｆ２…折線、Ｆ３…折線、Ｆ４…折線、Ｆ５…折線、Ｔ…突出部、Ｗ１…窓部、Ｗ２…窓部、Ｗ３…窓部、Ｗ４…窓部、１０…カード型包装容器、１１…第一シート、１２…第二シート、１３…開封部、１５…透明パッケージ、２０…カード型包装容器、２１…第一シート、２２…第二シート、２３…開封部、２５…袋状パッケージ、３０…カード型包装容器、３１…第一シート、３２…第二シート、３３…開封部、３５…縦長パッケージ、４０…カード型包装容器、４１…第一シート、４２…第二シート、４３…開封部、４５…長尺パッケージ、５０…カード型包装容器、５１…第一シート、５２…第二シート、５３…開封部、５５…包装体、５７…切込線
【図１】
0003182107.tif 000003
【図２】
0003182107.tif 000004
【図３】
0003182107.tif 000005
【図４】
0003182107.tif 000006
【図５】
0003182107.tif 000007
【図６】
0003182107.tif 000008
【図７】
0003182107.tif 000009